(57)【要約】【課題】ステレオ方式での収集音声情報を再生するに際し、極めて違和感の少ない音声情報を再生可能とするステレオマイク装置を提供する。【解決手段】ダイアル５０を回転操作すると回転軸３０が回転されて、かさ歯ギヤ３０が回転しその結果、かさ歯ギア２０、２２が回転し、両マイク１０、１１は互いに反対方向に回転移動する。両ダイアフラム６０、６２を含む平面を想定し、この両平面が交わることによって生じる直線を回転中心軸と想定すると、この回転中心軸は両マイクの開角度に関わらず固定されるように構成している。そして、ダイアル５０を操作すると、マイク１０の中心線とマイク１１の中心線の開き角度である開角度が変化する。【選択図】図１
2009049552.tif 000002
【特許請求の範囲】
【請求項１】
左チャンネル用の左マイクおよび右チャンネル用の右マイクによって音声をステレオ方式で収集するステレオマイク装置において、
前記左マイクおよび前記右マイクの夫々に内蔵されるダイアフラム（振動膜）を近接させた状態で、両マイクの開角度を変更自在としたことを特徴とするステレオマイク装置。
【請求項２】
左チャンネル用の左マイクおよび右チャンネル用の右マイクによって音声をステレオ方式で収集するステレオマイク装置において、
前記左マイクおよび前記右マイクの夫々に内蔵される、所定形状の薄膜のダイアフラム（振動膜）を含む２平面を想定し、この両平面が交わることによって生じる直線を回転中心軸と想定すると、この回転中心軸は両マイクの開角度に関わらず固定されるように両マイクを構成し、更に、
操作子の操作に応じて両マイクの開角度を変更させる構成としたことを特徴とするステレオマイク装置。
【請求項３】
請求項２に記載の装置において、
前記回転中心軸を、前記両平面が交わって生じる直線の延在方向に存在する直線の内で、その直線が２個のダイアフラムを夫々２分割するように存在する直線とした構成とすることを特徴とするステレオマイク装置。
【請求項４】
請求項２および３の内のいずれか一項に記載の装置において、
前記操作子の操作に応じて両マイクの開角度を変更させる際には、夫々のマイクが、前記回転中心軸を回転中心として等量の回転角度で互いに反対方向に回転して、全体の開角度を変更させる構成としたことを特徴とするステレオマイク装置。
【発明の詳細な説明】
【技術分野】
【０００１】
本発明は、右チャンネル用の右マイクと左チャンネル用の左マイクの２本のマイクを備え、音声情報の収録等を行うためのステレオマイク装置の改良に関する。    
に関する。
【背景技術】
【０００２】
従来から、ステレオ方式で音声を収集するためのステレオマイク装置が提案されてきた。例えば、左チャンネル用の左マイクと右チャンネル用の右マイクとが開く角度である開角度を変更可能とし、音声発生源からの距離に応じてこの開角度を変更させ、良好なステレオ方式での音声情報の収集を行う装置が提案されていた（例えば、特許文献１参照）。
【０００３】
【特許文献１】特開平３−９４５９９号公報（第２−４頁、第１図）
【発明の開示】
【発明が解決しようとする課題】
【０００４】
ところで、マイクは、例えば円盤状の薄膜である振動膜（一般には「ダイアフラム」と称される）が、音声によって振動するのを電気信号に換えて音声情報を収集可能に構成されている。そして、２本のマイクを用いる場合には、両ダイアフラムの距離を極力近接させた状態としなければ、２本のマイクが拾う音に位相差が生じ、これを再生した時に違和感のある音声が発せられてしまうという問題がある。これについて上記従来技術にあっては、何ら工夫がされていなかった。一方、２本のマイクのダイアフラムの位置関係を考慮しこれらを極力近接した状態として構成した装置もあったが、この装置においてはダイアフラムの近接のみを考慮したため、２本のマイクの開角度の調整が不能となっていた。
【０００５】
本発明は、かかる従来の課題を解決するためになされたもので、ステレオ方式での収集音声情報を再生するに際し、極めて違和感の少ない音声情報を再生可能とするステレオマイク装置を提供することを目的とする。
【課題を解決するための手段】
【０００６】
上記目的を達成するために、本発明は、左チャンネル用の左マイクおよび右チャンネル用の右マイクによって音声をステレオ方式で収集するステレオマイク装置において、
前記左マイクおよび前記右マイクの夫々に内蔵されるダイアフラム（振動膜）を近接させた状態で、両マイクの開角度を変更自在としたことを特徴とするようにした。この発明によれば、両マイクに内蔵されるダイアフラムを近接させた状態で、両マイクの開角度を調整せきるので、ステレオ方式での収集音声情報を再生するに際し、極めて違和感の少ない音声情報を再生可能とする装置を提供することができる
【０００７】
より具体的には、左チャンネル用の左マイクおよび右チャンネル用の右マイクによって音声をステレオ方式で収集するステレオマイク装置において、
前記左マイクおよび前記右マイクの夫々に内蔵される、所定形状の薄膜のダイアフラム（振動膜）を含む２平面を想定し、この両平面が交わることによって生じる直線を回転中心軸と想定すると、この回転中心軸は両マイクの開角度に関わらず固定されるように両マイクを構成し、更に、
操作子の操作に応じて両マイクの開角度を変更させる構成としたことを特徴とするステレオマイクが提供される。また、前記回転中心軸を、前記両平面が交わって生じる直線の延在方向に存在する直線の内で、その直線が２個のダイアフラムを夫々２分割するように存在する直線とすれば、最も両ダイアフラムが近接されるので好ましい。更に、この装置において、前記操作子の操作に応じて両マイクの開角度を変更させる際には、夫々のマイクが、前記回転中心軸を回転中心として等量の回転角度で互いに反対方向に回転して、全体の開角度を変更させる構成としたことを特徴とする装置も提供される。
【発明の効果】
【０００８】
本発明によれば、ステレオ方式での収集音声情報を再生するに際し、極めて違和感の少ない音声情報を再生可能とする装置を提供することができるという効果が得られる。
【発明を実施するための最良の形態】
【０００９】
以下、本発明を実施するための最良の形態を図面を参照しつつ説明する。
【００１０】
（構成）
図１は本発明の実施形態であるステレオマイク装置１の外観の正面図である。また、図２は左右のマイク１０、１１を回転させる機構部を理解容易に説明するための、あくまでも模式的な説明図であり、その構造は必ずしも図１と対応してはいない。図３も左右のマイク１０、１１を回転させる機構部の模式的な説明図である。図３は、図２（本装置の正面図）の右側から見た右側面図である。但し、図３においては、理解容易化のため、かさ歯ギア２２、固定軸２６、固定部材４０、ダイアル５０を図示省略しており、また、両マイク１０、１１が回転移動された状態を示している。
【００１１】
固定部材４０は、平面視長方形の所定厚みを持つ部材であり、その中心部には、回転軸３０が貫通され、この回転軸３０は回動可能に固定部材４０に支持されている。回転軸３０の一端側にはダイアル５０が固定されている。このダイアル５０は、平面視、円形状となっている。一方、回転軸３０の他端側は、かさ歯ギア２４の中心部に固定されていて、ダイアル５０の回動操作に応じて、このかさ歯ギア２４が回動可能に構成されている。また、図７は回転操作角の表示例であり、例えばダイアル５０の基準位置に針８０を設け、これが指す数字で開角度が把握可能に構成されている。なお、「開角度」とは、図７に示すように、左マイク１０に内蔵されるダイアフラム６０を含み平面Ｐ１および右マイク１１に内蔵されるダイアフラム６２を含む平面Ｐ２を想定し、この両平面が成す角度である（図８参照：「θ」）。なお、この例ではダイアフラムを円盤状薄膜としたものを想定している。
【００１２】
さらに、かさ歯ギア２０とかさ歯ギア２２とは同一構造のギアであり、これらは対向して、夫々かさ歯ギア２４と噛み合わさるように構成されている。かさ歯ギア２０の中心部には固定軸２８を介して左マイク１０が固定されており、同様に、かさ歯ギア２２の中心部には固定軸２６を介して右マイク１０が固定されている。左マイク１０は左チャンネル音声用のマイクであり、また、右マイク１２は右チャンネル音声用のマイクである。かさ歯ギア２０、２２は、夫々かさ歯ギア２４と噛み合っているので、ダイアル５０を回動操作することによって、かさ歯ギア３０が回転し、これをうけて両かさ歯ギア２０、２２が回転するので、両マイク１０、１１が移動される。
【００１３】
例えば、ダイアルを符号Ａで示すように平面視反時計方向に回転させると、かさ歯ギア２０は、左側面視時計方向（符号Ｂ）に回転する一方、かさ歯ギア２０は、右側面視反時計方向（符号Ｃ）に回転する。この結果、左マイク１０、右マイク１１は逆方向に回転する。ところで、図３において、符号６０は、左マイク１０のダイアフラムであり、符号６２は、右マイク１２のダイアフラムである。したがって、図８に示すように両ダイアフラムグラム６０、６２を含む平面Ｐ１、Ｐ２を想定し、この両平面Ｐ１、Ｐ２が交わることによって生じる直線Ｌ１を回転中心軸と想定すると、この回転中心軸Ｌ１は両マイク１０、１１の開角度に関わらず固定されるように構成している。そして、この回転中心軸を回転中心として両マイク１０、１１が互いに反対方向に回転移動する。しかも、その移動量は、両かさ歯ギア２０、２２が同一構造であるので等しくなる。
【００１４】
（作用）
ダイアル５０を回転操作すると回転軸３０が回転されて、かさ歯ギヤ３０が回転しその結果、かさ歯ギア２０、２２が回転し、両マイク１０、１１は互いに反対方向に回転移動する。図４はこの様子を示している。両ダイアフラム６０、６２を含む平面を想定し（図４では理解の容易化のため両ダイアフラム６０、６２の厚み誇張して描いているが実際には非常に薄い膜であり、図８のＬ１に相当する直線は図４紙面垂直方向に存在する）、この両平面が交わることによって生じる直線を回転中心軸（本例では紙面垂直方向の線）と想定すると、この回転中心軸は両マイク１０、１１の開角度に関わらず固定されるように構成している。このため、両マイク１０、１１は回転移動しても近接状態にある。
【００１５】
よりダイアグラムの位置関係を限定して、両ダイアフラムを含む両平面が交わって生じる直線の延在方向に存在する直線の内で、その直線が２個のダイアフラムを夫々２分割するように存在する直線を回転中心軸（本例では紙面垂直方向の線）とした構成にすると、両ダイアフラムを最も近接させることができて好ましい。
【００１６】
そして、ダイアル５０を操作すると、マイク１０の中心線（軸ｂ）とマイク１１の中心線（軸ａ）の開き角度である開角度が変化する。この開角度は、鉛直方向で且つ前記或る軸と直交する線である軸ｃからの、両マイク１０、１１の開き角度α、βの和の角度である。ここで、両マイク１０、１１の回転移動量は等しく「α＝β」となる。したがって、ダイアル操作により両マイクはバランス良く反対方向に回転移動することになる。
【００１７】
以上のように、左マイク１０および右マイク１１の夫々のダイアフラム６０、６２を近接させた状態で、両マイク１０，１１の開角度を変更自在としたので、再生時に違和感の無い音声情報を収集することが可能となるステレオマイク装置を実現することが可能になる。
【００１８】
なお、以上の説明ではユーザーがダイアル５０を回転操作することによって両マイク１０、１１を回転移動させていたが、これを自動的に行うことも可能である。図５はその制御系のブロック図である。操作部１２０によってユーザーが開角度を指示すると、制御部１００はこれを受信し、両マイク１０、１１の開角度がこの指示量となるように、パルスモーター１１０に制御信号を送信する。そして、パルスモーター１１０は受信した制御信号に基づいて回転軸３０を回転駆動する。このように、本発明においてはユーザーの開角度指示のみで自動的に両マイク１０、１１の開角度を調整可能とする装置も実現可能である。また、このパルスモーター１１０の位置に、回転ボリュームや回転エンコーダ等の角度検出センサを用いて両マイク１０、１１の開角度を検出可能とすることもできる。
【００１９】
（他の機構）
この機構においては、操作子２１０を押し引きすることによってマイク１０、１１を中心軸２００を回転中心として回転移動させる点に特徴がある。両マイク１０、１１は、回転軸２００で回転可能に支持されている。また、マイク１０に固定された部材２４０は、部材２３０の先端部に設けられた突起部２５０に回動可能に支えられており、同様に、マイク１１に固定された部材２４２は、部材２３２の先端部に設けられた突起部２５２に回動可能に支えられている。したがって、操作子２１０が押し込まれると部材２３０、２３２は夫々、突起部２５０、２５２を押しやって、部材２４０、２４２を移動させる結果、回転軸２００を回転中心線としてマイク１０、１１が回転移動される。このような簡単な機構によても本装置を実現できることになる。なお、マイク１０、１１の回転移動機構はこれらの例に限定されない。
【産業上の利用可能性】
【００２０】
以上説明してきたように、本発明は、音声をステレオ方式で収集することが可能なマイク装置を提供することができる。
【図面の簡単な説明】
【００２１】
【図１】ステレオマイク装置１の外観の正面図である。
【図２】マイクを回転させる機構部の模式的な説明図である。
【図３】マイクを回転させる機構部の模式的な説明図である。
【図４】作用の説明図である。
【図５】制御系の構成図である。
【図６】マイクを回転させる他の機構の模式的な説明図である。
【図７】マイクの回転角度の表示例の説明図である。
【図８】両マイクの位置関係を示す説明図である。
【符号の説明】
【００２２】
１０  左マイク
１１  右マイク
２０  かさ歯ギア
２２  かさ歯ギア
２６  固定軸
２８  固定軸
３０  回転軸
４０  固定部材
５０  ダイアル
６０  ダイアフラム
６２  ダイアフラム
【図１】
2009049552.tif 000003
【図２】
2009049552.tif 000004
【図３】
2009049552.tif 000005
【図４】
2009049552.tif 000006
【図５】
2009049552.tif 000007
【図６】
2009049552.tif 000008
【図７】
2009049552.tif 000009
【図８】
2009049552.tif 000010